(57)【要約】【課題】吹き出し口から吹き出されるエアの吹き出し方向を所望の方向へ指向させた状態に容易にすることができ、且つその状態を容易に維持することができる携帯用送風機の提供。【解決手段】ハンドル部１０Ａは上方へ突出して携帯用送風機の最上部をなしている。該脚部１０Ｍは、該ファン３１の軸心に関して該ハンドル部１０Ａとは反対の側に配置されており、ボリュート部１０Ｃの周方向に沿って設けられたレール部に対して摺動可能である。脚部１０Ｍの右端部の上部は、略Cの字状のレール部係合部を有しており、レール部係合部がレール部に係合していることにより、ボリュート部１０Ｃの周方向に沿ってレール部に脚部が案内される。ネジを緩めると、脚部１０Ｍはレール部に対して移動可能となり、当該移動によりエア吹き出し口１０ｃから吹き出されるエアの吹き出し方向が変わる。【選択図】図１
2012077629.tif 000002
【特許請求の範囲】
【請求項１】
本体部と、
該本体部に設けられたハンドル部と、
該本体部に設けられ該本体部を支持する脚部と、
該本体部に設けられた動力発生源と、
該本体部内において回転可能に支承され、該動力発生源により発生した動力によって回転して該本体部内にエアの流れを発生させるファンと、を備える携帯式送風機であって、
該脚部は該ファンの軸心に関して該ハンドル部とは反対の側に配置され、該本体部の一部であって該ファンの軸心に関して該ハンドルが設けられている側の部分には、該本体部の内部と外部とを連通し該ファンからのエアを該本体部外部に吹き出すための吹き出し口が形成され、
該脚部は、該携帯式送風機が被定置面に定置させられたときに該被定置面に接触している被定置面接触部を複数有しているか、又は該携帯式送風機が被定置面に定置させられたときに該被定置面に接触している被定置面接触平面を有し、
該被定置面接触部同士を結ぶ仮想平面又は被定置面接触平面に対して、該吹き出し口から吹き出されるエアの吹き出し方向を可変とするエア吹き出し方向可変手段を有することを特徴とする携帯用送風機。
【請求項２】
該エア吹き出し方向可変手段は、該仮想平面又は被定置面接触平面に対する該本体部の姿勢を可変とする本体姿勢可変手段を有することを特徴とする請求項１記載の携帯用送風機。
【請求項３】
該本体部は渦巻き状をなすボリュート部を有し、該吹き出し口は、該ボリュート部内の空間を介して該本体部内の空間であって該ファンの周囲の空間に連通し、該脚部は該ボリュート部に対して固定可能であり、
該エア吹き出し方向可変手段は、該ボリュート部の周方向において該ボリュート部に対する該脚部の位置を可変とする対ボリュート部脚部位置可変手段を有することを特徴とする請求項１記載の携帯用送風機。
【請求項４】
該対ボリュート部脚部位置可変手段は、該ボリュート部の周方向に沿って設けられたレール部と、該脚部に設けられ該レール部に沿って案内される被案内部と、を有することを特徴とする請求項３記載の携帯用送風機。
【請求項５】
該脚部には回転可能に支承された車輪が設けられていることを特徴とする請求項１乃至請求項４の何れか一に記載の携帯用送風機。
【発明の詳細な説明】
【技術分野】
【０００１】
本発明は携帯用送風機に関する。
【背景技術】
【０００２】
従来より携帯用送風機が知られている。携帯用送風機は、上部にハンドル部を有し下部に脚部を有するハウジングと、ハウジングに収容されたエンジンと、ハウジングに回転可能に支承され、エンジンにおいて発生する回転力により回転するファンと、を備えている。
【０００３】
ハンドル部にはスイッチを構成するトリガが設けられており、トリガを操作することによりエンジンが駆動開始する。ファンは遠心ファンにより構成されている。ハウジングの一部であってファンに対向する部分にはエアを吸引可能なエア吸引口が形成されている。
【０００４】
また、ファンの周縁部に対向する部分には渦巻き状をなしファンの周方向に沿って徐々に拡径するボリュート部が設けられており、ボリュート部の先端にはハウジング内部と外部とを連通する吹き出し口が形成されている。吹き出し口には略筒状のノズル部を装着可能である。ボリュート部の内部空間は。吹き出し口とファンの周囲の空間とを連通する。また、ハウジングにはハウジング内部と外部とを連通する図示せぬエア吸引口が形成されている。
【０００５】
エンジンが駆動してファンが回転することにより、図示せぬエア吸引口を通してエアがハウジング内に吸引される。ファンを通してエアはボリュート部内部空間へ流れ、吹き出し口及びノズル部を通して吹き出される。このような携帯用送風機は、例えば特開２００９−２６４２９６号公報（特許公報１）に記載されている。
【先行技術文献】
【特許文献】
【０００６】
【特許文献１】特開２００９−２６４２９６号公報
【発明の概要】
【発明が解決しようとする課題】
【０００７】
上述の従来の携帯用送風機は、乾燥していないワックスやコンクリートを乾燥させる目的でエアを当該ワックスやコンクリートに吹き付けるために用いられることがある。このような場合には、携帯用送風機は床や地面に据え置かれて使用されるのであるが、吹き出し口及びノズル部を、乾燥していないワックスやコンクリートの所望の位置に対して指向させた状態とし、その状態を維持することは困難であった。
【０００８】
そこで、本発明は、吹き出し口から吹き出されるエアの吹き出し方向を所望の方向へ指向させた状態に容易にすることができ、且つその状態を容易に維持することができる携帯用送風機を提供することを目的とする。
【課題を解決するための手段】
【０００９】
上記目的を達成するために、本発明は、本体部と、該本体部に設けられたハンドル部と、該本体部に設けられ該本体部を支持する脚部と、該本体部に設けられた動力発生源と、該本体部内において回転可能に支承され、該動力発生源により発生した動力によって回転して該本体部内にエアの流れを発生させるファンと、を備える携帯式送風機であって、該脚部は該ファンの軸心に関して該ハンドル部とは反対の側に配置され、該本体部の一部であって該ファンの軸心に関して該ハンドルが設けられている側の部分には、該本体部の内部と外部とを連通し該ファンからのエアを該本体部外部に吹き出すための吹き出し口が形成され、該脚部は、該携帯式送風機が被定置面に定置させられたときに該被定置面に接触している被定置面接触部を複数有しているか、又は該携帯式送風機が被定置面に定置させられたときに該被定置面に接触している被定置面接触平面を有し、該被定置面接触部同士を結ぶ仮想平面又は被定置面接触平面に対して、該吹き出し口から吹き出されるエアの吹き出し方向を可変とするエア吹き出し方向可変手段を有する携帯用送風機を提供している。
【００１０】
該脚部は、該携帯式送風機が被定置面に定置させられたときに該被定置面に接触している被定置面接触部を複数有しているか、又は該携帯式送風機が被定置面に定置させられたときに該被定置面に接触している被定置面接触平面を有し、該被定置面接触部同士を結ぶ仮想平面又は被定置面接触平面に対して、該吹き出し口から吹き出されるエアの吹き出し方向を可変とするエア吹き出し方向可変手段を有するため、携帯用送風機のユーザが携帯用送風機を保持せずに吹き出し口から吹き出されるエアの吹き出し方向を所望の方向へ指向させた状態に維持することができる。このため、ユーザの負担を大幅に軽減することができる。
【００１１】
ここで、該エア吹き出し方向可変手段は、該仮想平面又は被定置面接触平面に対する該本体部の姿勢を可変とする本体姿勢可変手段を有することが好ましい。
【００１２】
エア吹き出し方向可変手段は、仮想平面又は被定置面接触平面に対する本体部の姿勢を可変とする本体姿勢可変手段を有するため、仮想平面又は被定置面接触平面に対する本体部の姿勢を変えることにより容易に吹き出し口から吹き出されるエアの吹き出し方向を変えることができる。
【００１３】
また、該本体部は渦巻き状をなすボリュート部を有し、該吹き出し口は、該ボリュート部内の空間を介して該本体部内の空間であって該ファンの周囲の空間に連通し、該脚部は該ボリュート部に対して固定可能であり、該エア吹き出し方向可変手段は、該ボリュート部の周方向において該ボリュート部に対する該脚部の位置を可変とする対ボリュート部脚部位置可変手段を有することが好ましい。
【００１４】
本体部は渦巻き状をなすボリュート部を有し、吹き出し口は、ボリュート部内の空間を介して本体部内の空間であってファンの周囲の空間に連通し、脚部はボリュート部に対して固定可能であり、エア吹き出し方向可変手段は、ボリュート部の周方向においてボリュート部に対する脚部の位置を可変とする対ボリュート部脚部位置可変手段を有するため、ボリュート部に対する脚部の位置を変えることにより吹き出し口から吹き出されるエアの吹き出し方向を容易に変えることができる。
【００１５】
また、該対ボリュート部脚部位置可変手段は、該ボリュート部の周方向に沿って設けられたレール部と、該脚部に設けられ該レール部に沿って案内される被案内部と、を有することが好ましい。
【００１６】
対ボリュート部脚部位置可変手段は、ボリュート部の周方向に沿って設けられたレール部と、脚部に設けられレール部に沿って案内される被案内部と、を有するため、比較的簡単な構成でボリュート部に対する脚部の位置を変えることができる。
【００１７】
また、該脚部には回転可能に支承された車輪が設けられていることが好ましい。脚部には回転可能に支承された車輪が設けられているため、携帯用送風機を持ち上げることなく移動させることが可能となり、ユーザの利便性が向上する。また、エア吹き出し方向可変手段と共に車輪を使用することで、エアの吹出し方向の更なる微調整が可能となる。
【発明の効果】
【００１８】
以上より本発明は、吹き出し口から吹き出されるエアの吹き出し方向を所望の方向へ指向させた状態に容易にすることができ、且つその状態を容易に維持することができる携帯用送風機を提供することができる。
【図面の簡単な説明】
【００１９】
【図１】本発明の実施の形態による携帯用送風機を示す側面図。
【図２】本発明の実施の形態による携帯用送風機を示す断面図。
【図３】本発明の実施の形態による携帯用送風機の脚部を示す要部断面図。
【図４】本発明の実施の形態による携帯用送風機で遠方に送風している様子を示す側面図。
【図５】本発明の実施の形態による携帯用送風機の第１の変形例を示す側面図。
【図６】本発明の実施の形態による携帯用送風機の第１の変形例を示す断面図。
【図７】本発明の実施の形態による携帯用送風機の第２の変形例の脚部を示す要部側面図。
【図８】本発明の実施の形態による携帯用送風機の第３の変形例の脚部を示す要部側面図。
【発明を実施するための形態】
【００２０】
本発明による携帯用送風機の実施の形態について図１乃至図４を参照しながら説明する。図１に示すように携帯用送風機１は、メインハウジング１１（図２）と、後述のファン３１を収納するファンハウジング１２と、メインハウジング１１に設けられたエンジン３０（図２）と、防塵カバー９１と、ノズル部９２と、を有している。メインハウジング１１とファンハウジング１２とでハウジング１０が構成されている。
【００２１】
以下の説明では、図１において右側から左側へと向かう方向を携帯用送風機１の前方向、その反対方向を携帯用送風機１の後方向と定義する。また、図１における上方向を携帯用送風機１の上方向、下方向を携帯用送風機１の下方向と定義する。また、図１の紙面の裏側から表側へと向かう方向を左方向と定義し、その反対方向を右方向と定義して説明する。
【００２２】
図２に示すようにエンジン３０は、主としてハウジング１０の右側を構成するメインハウジング１１に固定されている。エンジン３０は２サイクルエンジンにより構成されており、動力発生源に相当する。主としてハウジング１０の左側を構成するファンハウジング１２内にはファン３１が収容されており、ファン３１はエンジン３０のクランク軸に固定されクランク軸と同軸的に一体回転可能である。従ってファン３１は、エンジン３０を介してハウジング１０に支承されている。ファン３１は遠心ファンにより構成されている。また、ハウジング１０の内周面であってファン３１の周縁部に対向する部分は、ファン３１により生成されたエアの流れをファン３１の円周方向に案内する渦巻き状のボリュート室１０ａを画成しており、ボリュート室１０ａは後述の吹き出し口１０ｃに連通している。ボリュート室１０ａを画成しているハウジング１０の部分は渦巻き状のボリュート部１０Ｃをなす。
【００２３】
ファン３１に対向するファンハウジング１２の部分には略円形の開口１０ｂが形成されており、開口１０ｂの周囲には、当該周囲から開口１０ｂと同軸的な位置関係で左方（図２の右方）へ延出する筒状のエア吸引口カバー接続部１２Ａが設けられている。エア吸引口カバー接続部１２Ａは、略筒状をなし、ハウジング１０の一部をなす。エア吸引口カバー接続部１２Ａには、多数の貫通孔が形成された保護カバーたる防塵カバー９１を取り付け可能である。
【００２４】
また、図１に示すようにハウジング１０には、ボリュート部１０Ｃからハウジング１０外方であって前方へ延出するノズル部接続部１０Ｄが設けられている。ノズル部接続部１０Ｄは、ハウジング１０の一部であってファン３１の軸心に関して後述のハンドル部１０Ａが設けられている側、即ち、ファン３１の軸心よりも上側に位置している。ノズル部接続部１０Ｄは略筒状をなしており、その軸心を含む平面で二分割可能であり、その一方はメインハウジング１１と一体で構成され、他方はファンハウジング１２と一体で構成されている。ノズル部接続部１０Ｄの内部の空間はボリュート室１０ａに連通し、ノズル部接続部１０Ｄの延出端の開口は吹き出し口１０ｃをなす。ノズル部接続部１０Ｄには、略円筒形状をしたノズル部９２を着脱可能である。
【００２５】
また、図１に示すようにハウジング１０の上部は、携帯用送風機１を運搬したり作業中に保持したりするためのハンドル部１０Ａを有している。また、ハウジング１０の下部は、携帯用送風機１を床や地面２に据え置いて使用する際に床や地面２に接触する脚部１０Ｍを有している。
【００２６】
ハンドル部１０Ａは略環状をなし、当該略環状の軸方向が左右方向に指向し、上方へ突出して携帯用送風機の最上部をなしている。ハンドル部１０Ａの最上部は、携帯用送風機１のユーザが指を巻回するようにして把持する把持部１０Ｂをなしており、把持部１０Ｂの前端部にはトリガ１０Ｅ（図１）が設けられている。トリガ１０Ｅは図示せぬ回動軸を中心として回動可能に把持部１０Ｂに支承されている。トリガ１０Ｅの一部には、エンジン３０のキャブレターに一端が接続された図示せぬワイヤの他端が固定されており、トリガ１０Ｅの回動により図示せぬワイヤをその長手方向へ引くことができるように構成されている。このように図示せぬワイヤを引くことにより、エンジン３０の図示せぬキャブレターの図示せぬスロットルバルブの開閉度を調整可能である。またトリガ１０Ｅは、１次側コイル及び２次側コイルからなる図示せぬトランスを介してエンジン３０の図示せぬ点火プラグに電気的に接続されており、また、エンジン３０の図示せぬ制御ユニットに電気的に接続されている。
【００２７】
脚部１０Ｍは、ファン３１の軸心に関してハンドル部１０Ａとは反対の側、即ち、図２においてファン３１の軸心よりも下側に配置されており、ボリュート部１０Ｃの周方向に沿って設けられたレール部１０Ｆに対して摺動可能に設けられている。脚部１０Ｍの外形は略環状をなしており、当該略環状の軸方向が上下方向に指向し、脚部１０Ｍの右端部（図２の左端部）がレール部１０Ｆに係合している。より詳細には、レール部１０Ｆは、ボリュート部１０Ｃからボリュート部１０Ｃの外方へ向かって突出しており、図２に示すように断面がＴ字を上下逆さまにしたような形状をなしている。また、脚部１０Ｍの右端部の上部は、略Cの字状のレール部係合部１０Ｇを有しており、レール部係合部１０Ｇがレール部１０Ｆに係合していることにより、ボリュート部１０Ｃの周方向に沿ってレール部１０Ｆに脚部１０Ｍが案内されるように構成されている。レール部係合部１０Ｇは被案内部に相当する。また、レール部１０Ｆ及びレール部係合部１０Ｇは、エア吹き出し方向可変手段、本体姿勢可変手段、対ボリュート部脚部位置可変手段に相当する。
【００２８】
脚部１０Ｍの一部であってレール部係合部１０Ｇの部分は、図３に示すように係合部右側部１０Ｍ−１と係合部左側部１０Ｍ−２とに２分割可能な構成となっている。係合部左側部１０Ｍ−２には左右方向に係合部左側部１０Ｍ−２を貫通する貫通孔１０ｄが形成されており、当該貫通孔１０ｄにはネジ１３が貫通している。貫通孔１０ｄに対向する係合部右側部１０Ｍ−１の部分には、ネジ１３が螺合可能な穴１０ｅが形成されている。貫通孔１０ｄを貫通しているネジ１３が穴１０ｅに螺合することにより、係合部右側部１０Ｍ−１が係合部左側部１０Ｍ−２に固定され、レール部１０Ｆにレール部係合部１０Ｇが係合している状態が維持される。携帯用送風機１の一部であってハンドル部１０Ａ及び脚部１０Ｍ以外の部分は本体部に相当する。
【００２９】
携帯用送風機１を床や地面２（図１等）に据え置いて定置して使用する際には、先ずネジ１３を緩め、脚部１０Ｍをレール部１０Ｆに対してボリュート部１０Ｃの周方向へ移動させ、所望の位置とする。脚部１０Ｍは、携帯用送風機１が被定置面２Ａ（図１等）に定置させられたときに被定置面２Ａに接触している被定置面接触部１０Ｋを複数有しているが、この被定置面接触部１０Ｋ同士を結ぶ仮想平面に対する本体部の姿勢が変わり、このことにより当該仮想平面に対する吹き出し口１０ｃの指向する方向、即ち、円形をした吹き出し口１０ｃの軸心方向が変わる。例えば、図１に示すような吹き出し口１０ｃの指向する方向から、図４に示すような吹き出し口１０ｃの指向する方向へと変わることにより、図１に示されるようなエア３の吹き出される方向から、図４に示されるようなエア３の吹き出される方向へと変わることとなる。
【００３０】
次にネジ１３を締めて、脚部１０Ｍをレール部１０Ｆに対して移動不能に固定させる。そして、脚部１０Ｍを床や地面２に接触させて携帯用送風機１を据え置いた状態で、トリガ１０Ｅを操作することにより、床や地面２等の一部であって送風を行いたい場所に対してノズル部９２からエア３（図３等）の送風を行う。
【００３１】
レール部１０Ｆとレール部１０Ｆに係合するレール部係合部１０Ｇとを有するため、脚部１０Ｍをボリュート部１０Ｃに対してボリュート部１０Ｃの周方向へ移動させることができる。この移動により被定置面接触部１０Ｋ同士を結ぶ仮想平面に対する本体部の姿勢が変わり、当該仮想平面に対する吹き出し口１０ｃから吹き出されるエアの吹き出し方向を容易に変えることができる。そしてボリュート部１０Ｃに対して脚部１０Ｍを固定することにより、携帯用送風機１のユーザが携帯用送風機１を保持せずに吹き出し口１０ｃから吹き出されるエアの吹き出し方向を所望の方向へ指向させた状態に維持することができる。このため、ユーザの負担を大幅に軽減することができる。
【００３２】
また、ボリュート部１０Ｃに対する脚部１０Ｍの位置を変えることにより吹き出し口１０ｃから吹き出されるエアの吹き出し方向を容易に変えることができる。また、比較的簡単な構成でボリュート部１０Ｃに対する脚部１０Ｍの位置を変えることができる。
【００３３】
本発明の携帯用送風機は、上述した実施の形態に限定されず、特許請求の範囲に記載した範囲で種々の変形や改良が可能である。例えば、脚部の構成は本実施の形態のものに限定されない。
【００３４】
例えば図５、図６に示すように、脚部１１０Ｍに車輪１１０Ｈを設けて床上や地面上を移動可能としてもよい。より具体的には、図５、図６に示すように、回転軸１１０Ｉの一端及び他端に車輪１１０Ｈが設けられた一対の当該回転軸１１０Ｉが左右方向にそれぞれ指向するように、当該回転軸１１０Ｉを脚部１１０Ｍの前部及び後部で回転可能に支承する構成としてもよい。このようにすれば、携帯用送風機１を持ち上げることなく前後方向に移動させることが可能となり、ユーザの利便性が向上する。また、レール部１０Ｆ及びレール部係合部１０Ｇによってエアの吹き出し方向を可変とする機構と共に使用することで、エアの吹出し方向の更なる微調整が可能となる。
【００３５】
また、図７に示すように、ボリュート部１０Ｃの半径方向外方へ延出しボリュート部１０Ｃに固定された固定脚部２１０Ｍ−１と、一端部がボリュート部１０Ｃに回動可能に支承され他端部が床や地面２に接触する可動脚部２１０Ｍ−２とを有する構成としてもよい。可動脚部２１０Ｍ−２は、具体的には、その一端がネジ２１３によりボリュート部１０Ｃに固定されることによりボリュート部１０Ｃに対して回動不能となる。ネジ２１３を緩めることにより可動脚部２１０Ｍ−２はボリュート部１０Ｃに対して回動可能となる。可動脚部２１０Ｍ−２をボリュート部１０Ｃに対して回動させることにより、吹き出し口１０ｃから吹き出されるエアの吹き出し方向を変えることができる。
【００３６】
また、図８に示すように、ボリュート部１０Ｃの半径方向外方へ延出しボリュート部１０Ｃに固定された固定脚部３１０Ｍ−１と、一端部側がボリュート部１０Ｃに支持され、他端部が床や地面２に接触し、ボリュート部１０Ｃから当該他端部までの長さが可変である可変長脚部３１０Ｍ−２とを有する構成としてもよい。
【００３７】
可動長脚部３１０Ｍ−２は具体的には、可動長脚部３１０Ｍ−２の延出方向に延びる溝３１０ｆが形成された被可動長ガイド部を有しており、ボリュート部１０Ｃは被可動長ガイド部に係合する図示せぬ可動長ガイド部と、図示せぬ可動長ガイド部を被可動長ガイド部の溝３１０ｆに対して係脱させるための図示せぬ係脱機構とを有している。図示せぬ係脱機構は、図８の紙面の裏側から表側へ向かう方向へボリュート部１０Ｃから突出するボタン３１０Ｊを備えており、ボタン３１０Ｊを図８の紙面の表側から裏側へ向かう方向へ押圧することにより、被可動長ガイド部の溝３１０ｆに対する可動長ガイド部の係合を解除できるように構成されている。ボタン３１０Ｊが押されていない状態では、被可動長ガイド部の溝３１０ｆに対して可動長ガイド部が係合しており、このときには可動長脚部３１０Ｍ−２は、ボリュート部１０Ｃから可動長脚部３１０Ｍ−２の他端部までの長さが変わらないようにボリュート部１０Ｃに固定されている。
【００３８】
即ち、ボタン３１０Ｊを押すことにより可動長脚部３１０Ｍ−２は、ボリュート部１０Ｃの半径方向へボリュート部１０Ｃに対して移動可能となる。可動長脚部３１０Ｍ−２をボリュート部１０Ｃの半径方向へボリュート部１０Ｃに対して移動させることにより、吹き出し口１０ｃから吹き出されるエアの吹き出し方向を変えることができる。被可動長ガイド部、可動長脚部３１０Ｍ−２、及びボタン３１０Ｊを有する係脱機構は脚部長調整手段に相当する。可動長脚部３１０Ｍ−２を有するため、ボリュート部１０Ｃから離間する方向におけるボリュート部１０Ｃからの可動長脚部３１０Ｍ−２の延出長さを調整することで、仮想平面に対して吹き出し口１０ｃから吹き出されるエアの吹き出し方向を容易に変えることができる。
【００３９】
また、レール部１０Ｆ及びレール部係合部１０Ｇに代えて、ノズル部接続部の部分を可動として、仮想平面に対して吹き出し口から吹き出されるエアの吹き出し方向を可変とするような構成としてもよい。また、脚部をボリュート部の部分であって複数の部分に対して着脱可能とし、ボリュート部に対する脚部の位置を変えることにより、仮想平面に対して吹き出し口１０ｃから吹き出されるエアの吹き出し方向を可変とするような構成としてもよい。
【００４０】
また、携帯用送風機１の脚部１０Ｍを、被定置面２Ａに接触する複数の被定置面接触部１０Ｋを有する構成としたが、これに限定されない。例えば、脚部１０Ｍが一つの平面を有し、当該平面が被定置面２Ａに接触する構成としてもよい。この場合には、当該平面に対してエアの吹き出し方向が可変の構成となればよい。当該平面は被定置面接触平面に相当する。また、携帯用送風機１はエンジン３０を有する構成をなしていたが、エンジンに限定されず、エンジンに代えて他の動力発生源を有する構成をなしていてもよい。また、吹き出し口の形状は本実施の形態の形状に限定されない。
【産業上の利用可能性】
【００４１】
本発明の携帯用送風機は、据え置きされて使用される携帯用送風機の分野において特に有用である。
【符号の説明】
【００４２】
１・・・携帯用送風機  ２・・・床や地面  ２Ａ・・・定置面  ３・・・エア  １０・・・ハウジング  １０Ａ・・・ハンドル部  １０Ｍ・・・脚部  ３０・・・エンジン  ３１・・・ファン  １０ｃ・・・吹き出し口  １１０Ｈ・・・車輪  
【図１】
2012077629.tif 000003
【図２】
2012077629.tif 000004
【図３】
2012077629.tif 000005
【図４】
2012077629.tif 000006
【図５】
2012077629.tif 000007
【図６】
2012077629.tif 000008
【図７】
2012077629.tif 000009
【図８】
2012077629.tif 000010